【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
画面中でポインタもしくはカーソルの位置を３次元的に制御する、又はポインタもしくはカーソルを３次元的に移動させる、ための３次元ポインティング装置であって、
ユーザーにより押圧された若しくは押圧されている部分がその押圧された若しくは押圧されている方向にへこむような素材であってユーザーにより押圧された方向を自らと対向するように配置された他の面状もしくは層状体に伝えることができる素材により構成された、第１の面状もしくは層状体を備えており、「前記第１の面状もしくは層状体における、ユーザーにより押圧された直接押圧位置」を検出するための第１押圧位置検出手段と、
前記第１の面状もしくは層状体と略平行に、これと直接に若しくは所定の物体を介して対向するように、且つ、これよりもユーザーから離れる側又は装置の内部側に、配置されている、第２の面状もしくは層状体を備えており、「前記第２の面状もしくは層状体において、前記ユーザーによる押圧の力が前記第１の面状もしくは層状体を介して加えられた若しくは加えられている位置であって、前記直接押圧位置と前記第１の面状もしくは層状体の面と略直交する方向において互いに重なり合っていない、斜め間接押圧位置」を、少なくとも検出可能な、第２押圧位置検出手段と、
前記第１押圧位置検出手段及び第２押圧位置検出手段からの出力に基づいて、前記ユーザーによる押圧の方向であって前記第１の面状もしくは層状体の面と略直交する方向に対して傾斜している斜め押圧方向を、取得するための斜め押圧方向取得手段と、
前記斜め押圧方向取得手段により取得された斜め押圧方向に基づいて、画面中で、ポインタもしくはカーソルの位置を、画面と略直交する方向に対して傾斜している方向に３次元的に制御する、又は、画面中で、ポインタもしくはカーソルを、画面と略直交する方向に対して傾斜している方向に３次元的に移動させる、ためのポインタ制御手段と、
を備えたことを特徴とする、３次元ポインティング装置。
【請求項２】
画面中でポインタもしくはカーソルの位置を３次元的に制御する、又はポインタもしくはカーソルを３次元的に移動させる、ための３次元ポインティング装置であって、
ユーザーにより押圧された若しくは押圧されている部分がその押圧された若しくは押圧されている方向にへこむような素材であってユーザーにより押圧された方向を自らと対向するように配置された他の面状もしくは層状体に伝えることができる素材により構成された、第１の面状もしくは層状体を備えており、「前記第１の面状もしくは層状体における、ユーザーにより押圧された直接押圧位置」を検出するための第１押圧位置検出手段と、
前記第１の面状もしくは層状体と略平行に、これと直接に若しくは所定の物体を介して対向するように、且つ、これよりもユーザーから離れる側又は装置の内部側に、配置されている、第２の面状もしくは層状体を備えており、「前記第２の面状もしくは層状体において、前記ユーザーによる押圧の力が前記第１の面状もしくは層状体を介して加えられた若しくは加えられている位置であって、前記直接押圧位置と前記第１の面状もしくは層状体の面と略直交する方向において互いに重なり合っていない、斜め間接押圧位置」を、少なくとも検出可能な、第２押圧位置検出手段と、
前記第１押圧位置検出手段及び第２押圧位置検出手段からの出力に基づいて、前記ユーザーによる押圧の方向であって前記第１の面状もしくは層状体の面と略直交する方向に対して傾斜している斜め押圧方向を、取得するための斜め押圧方向取得手段と、
前記斜め押圧方向取得手段により取得された斜め押圧方向に基づいて、画面中でのポインタもしくはカーソルの３次元的な移動方向であって、画面と略直交する方向に対して傾斜している斜め移動方向、を求めるための斜め移動方向取得手段と、
を備えたことを特徴とする、３次元ポインティング装置。
【請求項３】
画面上でポインタもしくはカーソルの位置を３次元的に制御する又はポインタもしくはカーソルを３次元的に移動させるための３次元ポインティング装置であって、
その上面側がユーザー側となるように配置され、ユーザーにより押圧された若しくは押圧されている部分がその押圧された若しくは押圧されている方向にへこむように構成されている第１の面状もしく層状体を備えており、「前記第１の面状もしくは層状体における、ユーザーにより押圧された若しくは押圧されている部分」の２次元位置座標を、検出するための第１押圧位置検出手段と、
前記第１の面状もしくは層状体と略平行で且つ前記前記第１の面状もしくは層状体よりも所定距離だけユーザーから離れる側又は装置の内部側に配置された第２の面状もしくは層状体を備えており、「前記第２の面状もしくは層状体における、前記ユーザーによる押圧の力が前記第１の面状もしくは層状体を介して加えられた若しくは加えられている部分」の２次元位置座標を、検出するための第２押圧位置検出手段と、
前記第１押圧位置検出手段により検出された第１押圧位置座標と前記第２押圧位置検出手段により検出された第２押圧位置座標とに基づいて、画面上に表示されている３次元空間の中で又は３次元画像に対して前記ポインタもしくはカーソルを画面上で移動させるべき３次元方向（画面の奥行き方向もしくは斜め奥行き方向などを含む）を求め、これに基づいて、画面上でポインタもしくはカーソルの位置を３次元的に制御する又はポインタもしくはカーソルを３次元的に移動させるためのポインタ制御手段と、
を備えたことを特徴とする、３次元ポインティング装置。
【請求項４】
画面上でポインタもしくはカーソルの位置を３次元的に制御する又はポインタもしくはカーソルを３次元的に移動させるための３次元ポインティング装置であって、
その上面側がユーザー側となるように配置され、ユーザーにより押圧された若しくは押圧されている部分がその押圧された若しくは押圧されている方向にへこむように構成されている第１の面状もしく層状体を備えており、「前記第１の面状もしくは層状体における、ユーザーにより押圧された若しくは押圧されている部分」の平面上の位置を、検出するための第１押圧位置検出手段と、
前記第１の面状もしくは層状体と略平行で且つ前記前記第１の面状もしくは層状体よりも所定距離だけユーザーから離れる側又は装置の内部側に配置された第２の面状もしくは層状体を備えており、「前記第２の面状もしくは層状体における、前記ユーザーによる押圧の力が前記第１の面状もしくは層状体を介して加えられた若しくは加えられている部分」の平面上の位置を、検出するための第２押圧位置検出手段と、
前記第１押圧位置検出手段により検出された第１押圧位置と前記第２押圧位置検出手段により検出された第２押圧位置とに基づいて、画面上に表示されている３次元空間の中で又は３次元画像に対して前記ポインタもしくはカーソルを画面上で移動させるべき３次元方向（画面の奥行き方向もしくは斜め奥行き方向などを含む）を求め、これに基づいて、画面上でポインタもしくはカーソルの位置を３次元的に制御する又はポインタもしくはカーソルを３次元的に移動させるためのポインタ制御手段と、
を備えたことを特徴とする、３次元ポインティング装置。
【請求項５】
画面上でポインタもしくはカーソルの位置を３次元的に制御する又はポインタもしくはカーソルを３次元的に移動させるための３次元ポインティング装置であって、
その上面側がユーザー側となるように配置され、ユーザーにより押圧された若しくは押圧されている部分がその押圧された若しくは押圧されている方向にへこむように構成されている第１の面状もしく層状体を備えており、「前記第１の面状もしくは層状体における、ユーザーにより押圧された若しくは押圧されている部分」の位置を、検出するための第１押圧位置検出手段と、
前記第１の面状もしくは層状体と略平行で且つ前記前記第１の面状もしくは層状体よりも所定距離だけユーザーから離れる側又は装置の内部側に配置された第２の面状もしくは層状体を備えており、「前記第２の面状もしくは層状体における、前記ユーザーによる押圧の力が前記第１の面状もしくは層状体を介して加えられた若しくは加えられている部分」の位置を、検出するための第２押圧位置検出手段と、
前記第１押圧位置検出手段により検出された第１押圧位置と前記第２押圧位置検出手段により検出された第２押圧位置とに基づいて、画面上に表示されている３次元空間の中で又は３次元画像に対して前記ポインタもしくはカーソルを画面上で移動させるべき３次元方向（画面の奥行き方向もしくは斜め奥行き方向などを含む）を求め、これに基づいて、画面上でポインタもしくはカーソルの位置を３次元的に制御する又はポインタもしくはカーソルを３次元的に移動させるためのポインタ制御手段と、
を備えたことを特徴とする、３次元ポインティング装置。
【請求項６】
画面上でポインタもしくはカーソルの位置を３次元的に制御する又はポインタもしくはカーソルを３次元的に移動させるための３次元ポインティング装置であって、
その上面側がユーザー側となるように配置され、ユーザーにより押圧された若しくは押圧されている部分がその押圧された若しくは押圧されている方向にへこむように構成されている第１の面状もしく層状体を備えており、「前記第１の面状もしくは層状体における、ユーザーにより押圧された直接押圧位置」を検出するための第１押圧位置検出手段と、
前記第１の面状もしくは層状体と略平行で且つ前記前記第１の面状もしくは層状体よりも所定距離だけユーザーから離れる側又は装置の内部側に配置された第２の面状もしくは層状体を備えており、「前記第２の面状もしくは層状体における、前記ユーザーによる押圧の力が前記第１の面状もしくは層状体を介して加えられた若しくは加えられている間接押圧位置」を検出するための第２押圧位置検出手段と、
少なくとも前記第１押圧位置検出手段からの出力に基づいて、画面上でポインタもしくはカーソルを２次元的に制御する又は２次元的に移動させるための第１制御手段と、
前記第１押圧位置検出手段からの押圧位置と前記第２押圧位置検出手段からの押圧位置との「２つの押圧位置」の情報に基づいて、画面上でポインタもしくはカーソルの位置を３次元的に制御する又はポインタもしくはカーソルを３次元的に移動させるための第２制御手段と、
を備えたことを特徴とする、３次元ポインティング装置。
【請求項７】
画面上でポインタもしくはカーソルの位置を３次元的に制御する又はポインタもしくはカーソルを３次元的に移動させるための３次元ポインティング装置であって、
その上面側がユーザー側となるように配置され、ユーザーにより押圧された若しくは押圧されている部分がその押圧された若しくは押圧されている方向にへこむように構成されている第１の面状もしく層状体を備えており、「前記第１の面状もしくは層状体における、ユーザーにより押圧された直接押圧位置」を検出するための第１押圧位置検出手段と、
前記第１の面状もしくは層状体と略平行で且つ前記前記第１の面状もしくは層状体よりも所定距離だけユーザーから離れる側又は装置の内部側に配置された第２の面状もしくは層状体を備えており、「前記第２の面状もしくは層状体における、前記ユーザーによる押圧の力が前記第１の面状もしくは層状体を介して加えられた若しくは加えられている間接押圧位置」を検出するための第２押圧位置検出手段と、
前記第１押圧位置検出手段が前記直接押圧位置を検出したが前記第２押圧位置検出手段は前記間接押圧位置を検出していないとき、少なくとも前記第１押圧位置検出手段からの出力に基づいて、画面上でポインタもしくはカーソルを２次元的に制御する又は２次元的に移動させるための第１制御手段と、
前記第１押圧位置検出手段及び前記第２押圧位置検出手段がそれぞれ前記直接押圧位置及び前記間接押圧位置を検出したとき、前記第１押圧位置検出手段からの押圧位置と前記第２押圧位置検出手段からの押圧位置との「２つの押圧位置」の情報に基づいて、画面上でポインタもしくはカーソルの位置を３次元的に制御する又はポインタもしくはカーソルを３次元的に移動させるための第２制御手段と、
を備えたことを特徴とする、３次元ポインティング装置。
【請求項８】
画面上でポインタもしくはカーソルの位置を３次元的に制御する又はポインタもしくはカーソルを３次元的に移動させるための３次元ポインティング装置であって、
その上面側がユーザー側となるように配置され、ユーザーにより押圧された若しくは押圧されている部分がその押圧された若しくは押圧されている方向にへこむように構成されている第１の面状もしく層状体を備えており、「前記第１の面状もしくは層状体における、ユーザーにより押圧された直接押圧位置」を検出するための第１押圧位置検出手段と、
前記第１の面状もしくは層状体と略平行で且つ前記前記第１の面状もしくは層状体よりも所定距離だけユーザーから離れる側又は装置の内部側に配置される第２の面状もしくは層状体を備えており、「前記第２の面状もしくは層状体における、前記ユーザーによる押圧の力が前記第１の面状もしくは層状体を介して加えられた若しくは加えられている間接押圧位置」を検出するための第２押圧位置検出手段であって、前記第１押圧位置検出手段により検出された直接押圧位置とは前記第１の面状もしくは層状体と略直交する方向に沿う位置にある間接押圧位置を検出可能なだけでなく、前記第１押圧位置検出手段により検出された直接押圧位置とは前記第１の面状もしくは層状体と略直交する方向に沿っていない位置にある間接押圧位置をも検出可能な、第２押圧位置検出手段と、
前記第１押圧位置検出手段により検出された直接押圧位置と前記第２押圧位置検出手段により検出された間接押圧位置とに基づいて、画面上でポインタもしくはカーソルの位置を３次元的に制御する又はポインタもしくはカーソルを３次元的に移動させるためのポインタ制御手段と、
を備えたことを特徴とする、３次元ポインティング装置。
【請求項９】
画面上でポインタもしくはカーソルの位置を３次元的に制御する又はポインタもしくはカーソルを３次元的に移動させるための３次元ポインティング装置であって、
その上面側がユーザー側となるように配置され、ユーザーにより押圧された若しくは押圧されている部分がその押圧された若しくは押圧されている方向にへこむように構成されている第１の面状もしく層状体を備えており、「前記第１の面状もしくは層状体における、ユーザーにより押圧された直接押圧位置」を検出するための第１押圧位置検出手段と、
前記第１の面状もしくは層状体と略平行で且つ前記前記第１の面状もしくは層状体よりも所定距離だけユーザーから離れる側又は装置の内部側に配置される第２の面状もしくは層状体を備えており、「前記第２の面状もしくは層状体における、前記ユーザーによる押圧の力が前記第１の面状もしくは層状体を介して加えられた若しくは加えられている間接押圧位置」を検出するための第２押圧位置検出手段であって、前記第１押圧位置検出手段により検出された直接押圧位置とは前記第１の面状もしくは層状体と略直交する方向に沿う位置にある間接押圧位置を検出可能なだけでなく、前記第１押圧位置検出手段により検出された直接押圧位置とは前記第１の面状もしくは層状体と略直交する方向に沿っていない位置にある間接押圧位置をも検出可能な、第２押圧位置検出手段と、
を備えたことを特徴とする、３次元ポインティング装置。